(57)【要約】【課題】  セキュリティを確保しつつ低コスト化を実現する電気設備計測監視システムを提供すること。【解決手段】  計測監視装置は、電気設備１の各部を計測し、その計測結果を示す電気設備データを生成する計測部２０と、記憶媒体としての情報保存部２３と、少なくとも計測部２０により生成される電気設備データを情報保存部２３に保存する処理および情報保存部２３から電気設備データの一部を読み出す処理を行う情報管理部２４と、計測監視装置２の内部で生じる情報を計測監視装置２の外部へ提供する情報提供部２６と、携帯端末３と直接に無線通信を行う無線通信部２９と、無線通信部２９を通じて携帯端末３からアクセス要求があった場合に、当該アクセス要求を行った携帯端末３がアクセス権を有する端末であるか否かの判断および当該携帯端末のユーザがアクセス権を有するユーザであるか否かの判断を行う認証部２８とを具備する。【選択図】図１
2011072121.tif 000002
【特許請求の範囲】
【請求項１】
電気設備の状態監視を行い、当該状態監視を通じて得られる情報を携帯端末に送信することが可能な計測監視装置において、
前記電気設備の各部を計測し、その計測結果を示す電気設備データを生成する計測手段と、
記憶媒体としての情報保存部と、
前記情報保存部に、少なくとも前記計測手段により生成される電気設備データを保存する処理および前記情報保存部から少なくとも前記電気設備データの一部を読み出す処理を行う第１の情報管理手段と、
前記計測監視装置の内部で生じる情報を前記計測監視装置の外部へ提供する情報提供手段と、
携帯端末と直接無線通信を行う第１の無線通信手段と、
前記第１の無線通信手段を通じて携帯端末からアクセス要求があった場合に、当該アクセス要求を行った携帯端末がアクセス権を有する端末であるか否かの判断および当該携帯端末のユーザがアクセス権を有するユーザであるか否かの判断を行う認証手段と
を具備し、
前記認証手段が、前記アクセス要求を行った携帯端末がアクセス権を有する端末であり且つ当該携帯端末のユーザがアクセス権を有するユーザであると判断した場合に、前記情報提供手段は、前記第１の情報管理手段により管理される少なくとも電気設備データの一部を用いて前記アクセス要求に対応する電気設備データを生成し、前記第１の無線通信手段は、生成された電気設備データを当該携帯端末に直接に無線送信することを特徴とする計測監視装置。
【請求項２】
請求項１に記載の計測監視装置と、前記計測監視装置との通信が可能な携帯端末とを含む電気設備計測監視システムにおいて、
前記携帯端末は、
前記計測監視装置と直接に無線通信を行い、前記計測監視装置へのアクセス要求を行う第２の無線通信手段と、
前記アクセス要求の際に前記第２の無線通信手段を通じて送信する当該携帯端末の識別情報および当該携帯端末のユーザの識別情報の管理を少なくとも行う第２の情報管理手段と、
前記第２の無線通信手段を通じて受信する電気設備データを画面上に表示する処理を行う表示処理手段とを
具備することを特徴とする電気設備計測監視システム。
【請求項３】
請求項２に記載の電気設備計測監視システムにおいて、
前記携帯端末と通信ネットワークを介して接続するデータ管理装置を更に具備し、
前記データ管理装置は、
前記携帯端末に前記電気設備データを表示する際の各種の表示フォーマットを保存する記憶媒体としての第１の表示形式保存部と、
前記携帯端末から要求される表示フォーマットを前記第１の表示形式保存部から読み出し、前記第２の無線通信手段を通じて前記携帯端末へ送信する第１の表示形式管理手段と
を具備し、
前記携帯端末は、
前記データ管理装置と通信ネットワークを介して接続し、前記データ管理装置に対して任意の表示フォーマットを要求して取得する通信手段と、
前記表示処理手段が電気設備データを画面上に表示する際の表示フォーマットを保存する記憶媒体としての第２の表示形式保存部と、
前記通信手段を通じて取得される表示フォーマットを前記第２の表示形式保存部に保存する処理を行い、前記表示処理手段が電気設備データを表示する際の表示フォーマットを変更する第２の表示形式管理手段を更に具備することを特徴とする電気設備計測監視システム。
【請求項４】
電気設備の状態監視を行い、当該状態監視を通じて得られる情報を携帯端末に送信することが可能な計測監視装置において、
前記電気設備の各部を計測し、その計測結果を示す電気設備データを生成する計測手段と、
前記電気設備データを解析することにより前記電気設備の異常を検出する計測情報解析手段と、
前記計測監視装置の動作状態に異常があるか否かを監視する装置状態監視手段と、
記憶媒体としての情報保存部と、
前記情報保存部に、前記計測手段により生成される電気設備データ、前記計測情報解析手段により検出される異常の内容を示す第１の異常情報、および前記装置状態監視手段により検出される異常の内容を示す第２の異常情報を保存する処理、および前記情報保存部に保存される情報の少なくとも一部を読み出す処理を行う第１の情報管理手段と、
前記計測監視装置の内部で生じる情報を前記計測監視装置の外部へ提供する情報提供手段と、
携帯端末と直接無線通信を行う第１の無線通信手段と、
前記第１の無線通信手段を通じて携帯端末からアクセス要求があった場合に、当該アクセス要求を行った携帯端末がアクセス権を有する端末であるか否かの判断および当該携帯端末のユーザがアクセス権を有するユーザであるか否かの判断を行う認証手段と、
を具備し、
前記認証手段が、前記アクセス要求を行った携帯端末がアクセス権を有する端末であり且つ当該携帯端末のユーザがアクセス権を有するユーザであると判断した場合に、前記情報提供手段は、前記計測監視装置の内部で生じる情報の少なくとも一部を用いて前記アクセス要求に対応する電気設備データを生成し、前記第１の無線通信手段は、生成された電気設備データを当該携帯端末に直接に無線送信することを特徴とする計測監視装置。
【請求項５】
電気設備の状態監視を行い、当該状態監視を通じて得られる情報を携帯端末に送信することが可能な計測監視装置に適用されるプログラムにおいて、コンピュータに、
前記電気設備の各部を計測し、その計測結果を示す電気設備データを生成する計測機能と、
記憶媒体としての情報保存機能と、
前記情報保存部に少なくとも前記電気設備データを保存する処理および前記情報保存部から少なくとも前記電気設備データの一部を読み出す処理を行う第１の情報管理機能と、
前記計測監視装置の内部で生じる情報を前記計測監視装置の外部へ提供する情報提供機能と、
携帯端末と直接無線通信を行う第１の無線通信機能と、
前記第１の無線通信機能を通じて携帯端末からアクセス要求があった場合に、当該アクセス要求を行った携帯端末がアクセス権を有する端末であるか否かの判断および当該携帯端末のユーザがアクセス権を有するユーザであるか否かの判断を行う認証機能と
を実現させ、
前記認証機能が、前記アクセス要求を行った携帯端末がアクセス権を有する端末であり且つ当該携帯端末のユーザがアクセス権を有するユーザであると判断した場合に、前記情報提供機能は、前記第１の情報管理機能により管理される少なくとも電気設備データの一部を用いて前記アクセス要求に対応する電気設備データを生成し、前記第１の無線通信機能は、生成された電気設備データを当該携帯端末に直接に無線送信すること
を実現させるためのプログラム。
【発明の詳細な説明】
【技術分野】
【０００１】
本発明は、電気設備の状態監視をする計測監視装置と収集した状態情報を表示する携帯端末との通信を可能とする電気設備計測監視システム、計測監視装置、およびプログラムに関する。
【背景技術】
【０００２】
分電盤および漏電検出器などの電気設備は、ビル屋上や店舗屋外などに設置されたキュービクル盤にて管理されており、これら電気設備の状態監視を行う計測監視装置はキュービクル盤内に設置されている。この計測監視装置が収集した電気設備の状態情報、警報状態、計測監視装置の動作状態などを確認する方法としては、例えば、端末上のＬＥＤ、７セグ表示、および液晶パネルなどのハードウェアデバイスを利用して確認する方法がある。
【０００３】
一方で、キュービクル盤は容易に開閉が出来る場所に設置されることが少ないことから、計測監視装置と携帯端末とを通信ネットワークを介して接続し、収集した情報を携帯端末上に表示して確認する方法が採られ始めている。
【０００４】
通信ネットワークを利用して、収集した情報を確認するシステムの構成例としては、計測対象物から例えばセンサなどを利用して情報の収集を行い、収集した情報の異常検出，収集した情報の保存，および収集した情報から外部に提供する情報の抽出を行った後に、外部に情報を送信する計測監視装置と、計測監視装置より送信された情報の受信および保存を行い、携帯端末に保存情報を提供する際に提供データを生成するデータ管理装置と、収集した情報を表示するための携帯端末とを公衆回線網を介して接続したシステムが挙げられる。
【０００５】
関連する技術の代表的なものとしては、特許文献１および２が挙げられる。
【０００６】
特許文献１には、遠隔にある計測対象物に異常が発生した場合、公衆回線網を利用して、メンテナンス担当者に検出した異常を確認するための異常通知メールを送信することで、異常発生時の状況に的確に対応することの出来る管理システムについての記載がある。
【０００７】
特許文献２には、監視端末装置、ホストコンピュータ、および携帯端末とを公衆回線網を介して接続し、監視端末装置により検出した高圧受電設備の状態情報を携帯端末から確認可能にした監視システムについての記載がある。
【先行技術文献】
【特許文献】
【０００８】
【特許文献１】特開２００５−２１５７３１号公報
【特許文献２】特開２００３−９９１２１号公報
【発明の概要】
【発明が解決しようとする課題】
【０００９】
しかしながら、特許文献１および２に記載される状態監視システムには、以下に示すような課題がある。
【００１０】
（１）収集した情報の保存および携帯端末への提供を行うデータ管理装置を、計測監視装置および携帯端末と公衆回線網を介して接続するため、計測情報の送受信を行うたびに通信コストが発生する。
【００１１】
（２）例えばモデムやＡＤＳＬなど、公衆回線網を利用するにあたりデータ変換を行う通信設備が必要となる。
【００１２】
（３）計測情報の送受信を行うたびに公衆回線網を利用するため、公衆回線網を通じて計測情報が不正に取得されてしまう可能性が高い。
【００１３】
本発明は上記実情に鑑みてなされたものであり、セキュリティを確保しつつ低コスト化を実現する電気設備計測監視システムを提供することを目的とする。
【課題を解決するための手段】
【００１４】
電気設備の状態監視を行い、当該状態監視を通じて得られる情報を携帯端末に送信することが可能な計測監視装置において、前記電気設備の各部を計測し、その計測結果を示す電気設備データを生成する計測手段と、記憶媒体としての情報保存部と、少なくとも前記計測手段により生成される電気設備データを前記情報保存部に保存する処理および前記情報保存部から少なくとも前記電気設備データの一部を読み出す処理を行う第１の情報管理手段と、前記計測監視装置の内部で生じる情報を前記計測監視装置の外部へ提供する情報提供手段と、携帯端末と直接に無線通信を行う第１の無線通信手段と、前記第１の無線通信手段を通じて携帯端末からアクセス要求があった場合に、当該アクセス要求を行った携帯端末がアクセス権を有する端末であるか否かの判断および当該携帯端末のユーザがアクセス権を有するユーザであるか否かの判断を行う認証手段とを具備し、前記認証手段が、前記アクセス要求を行った携帯端末がアクセス権を有する端末であり且つ当該携帯端末のユーザがアクセス権を有するユーザであると判断した場合に、前記情報提供手段は、前記第１の情報管理手段により管理される少なくとも電気設備データの一部を用いて前記アクセス要求に対応する電気設備データを生成し、前記第１の無線通信手段は、生成された電気設備データを当該携帯端末に直接に無線送信することを特徴とする。
【発明の効果】
【００１５】
本発明によれば、セキュリティを確保しつつ低コスト化を実現する電気設備計測監視システムを提供することが出来る。
【図面の簡単な説明】
【００１６】
【図１】本発明の第１の実施形態に係る電気設備計測監視システムの構成の一例を示す図。
【図２】同実施形態において、電流値に関する電気設備データを携帯端末上で表示する画面の一例を示す図。
【図３】同実施形態において、電流値の異常により生じた警報の履歴を携帯端末上で表示する画面の一例を示す図。
【図４】同実施形態において、グラフ化した電流値に関する電気設備データを携帯端末上で表示する画面の一例を示す図。
【図５】同実施形態において、計測監視装置に含まれる情報保存部に保存する電気設備データの具体的な項目の一例を示す図。
【図６】同実施形態において、計測監視装置が電流値に関する電気設備データを取り込んでから保存するまでの動作の一例を示すフローチャート。
【図７】同実施形態において、計測監視装置が電力量に関する電気設備データを取り込んでから保存するまでの動作の一例を示すフローチャート。
【図８】同実施形態において、計測監視装置が保存したデータをデータ管理装置に送信するまでの動作の一例を示すフローチャート。
【図９】同実施形態において、計測監視装置が収集したデータを携帯端末に送信するまでの動作の一例を示すフローチャート。
【図１０】同実施形態において、携帯端末が計測監視装置に要求したデータを受信して表示するまでの動作の一例を示すフローチャート。
【図１１】本発明の第２の実施形態に係る、電気設備計測監視システムの構成の一例を示す図。
【図１２】同実施形態において、データ管理装置が携帯端末に表示フォーマットを送信するまでの動作の一例を示すフローチャート。
【図１３】同実施形態において、携帯端末がデータ管理装置に要求した表示フォーマットを受信して設定するまでの動作の一例を示すフローチャート。
【発明を実施するための形態】
【００１７】
以下、図面を参照して、本発明の実施の形態について説明する。
【００１８】
（第１の実施形態）
まず、図１乃至図１０を参照して、本発明の第１の実施形態について説明する。
【００１９】
図１は、本発明の第１の実施形態に係る電気設備計測監視システムの構成の一例を示す図である。
【００２０】
本発明の第１の実施形態に係る電気設備計測監視システムは、少なくとも計測監視装置２および携帯端末３により構成される。監視対象となる電気設備１は、例えば、分電盤および漏電検出器などの設備を示す。また、計測監視装置２は、公衆回線等の通信ネットワーク４を介して、サーバ等のデータ管理装置５に接続可能である。
【００２１】
計測監視装置２は、上記電気設備１の状態監視を行い、状態監視を通じて得られる情報の少なくとも一部を携帯端末３に送信することが可能なものである。
【００２２】
上記計測監視装置２は、計測部２０、計測情報解析部２１、装置状態監視部２２、情報保存部２３、情報管理部２４、表示処理部２５、情報提供部２６、通信部２７、認証部２８、および無線通信部２９を有する。
【００２３】
計測部２０は、電気設備１の各部を計測し、その計測結果を示す電気設備データを生成するものである。この計測部２０は、例えば、変成器や変流器などの電気量を一定の周期で取り込み、アナログデータからディジタルデータに変換して電気設備データを生成する。
【００２４】
計測情報解析部２１は、計測部２０により生成された電気設備データを解析して、電気設備の異常を検出し、異常を検出した場合には、当該異常の内容を示す第１の異常情報を情報提供部２６に通知するものである。
【００２５】
装置状態監視部２２は、計測監視装置２の動作状態に異常がないか否かの監視を行うものである。この装置状態監視部２２は、例えば、計測監視装置２に含まれるハードウェアおよびソフトウェアの動作状態に異常がないか否かのセルフチェックを行い、異常を検出した場合には、上記計測情報解析部２１と同様に、当該異常の内容を示す第２の異常情報を情報提供部２６に通知する。
【００２６】
情報保存部２３は、計測監視装置２の内部で生じる情報を保存するための記憶媒体である。なお、情報保存部２３に保存する情報の具体的な例としては、計測部２０により生成される電気設備データ、計測情報解析部２１により検出される異常の内容を示す第１の異常情報、装置状態監視部２２により検出される異常の内容を示す第２の異常情報などが挙げられる。
【００２７】
情報管理部２４は、計測監視装置２の内部で生じる情報を情報保存部２３に保存する処理および情報保存部２３に保存される情報の少なくとも一部を読み出す処理を行うものである。この情報管理部２４は、例えば、計測部２０により生成される電気設備データ、計測情報解析部２１により検出される異常の内容を示す第１の異常情報、装置状態監視部２２により検出される異常の内容を示す第２の異常情報などを情報保存部２３に保存する。
【００２８】
表示処理部２５は、情報保存部２３に保存される情報を画面上に表示する処理を行うものである。
【００２９】
情報提供部２６は、計測監視装置２の内部で生じる情報を計測監視装置２の外部へ提供するものである。この情報提供部２６は、例えば、携帯端末３からの各種要求を受け付け、電気設備データ、第１の異常情報、第２の異常情報などの情報の少なくとも一部を用いて、データ管理装置５に送信するための提供データの生成および送信を行ったりする。また、この情報提供部２６は、携帯端末３からの各種要求の受け付けも行う。
【００３０】
通信部２７は、データ管理装置５と通信ネットワーク４を介して接続するものである。なお、この通信部２７は、情報提供部２６で生成した提供データを、データ管理装置５に送信することが可能である。この場合、データ管理装置５に保存するために必要となるデータだけを、レポートとしてコンパクトにまとめた形で、少ない頻度で（例えば、１日に１回のみ、あるいは１ヶ月に１回のみ）データ管理装置５へ送信することにより、通信ネットワーク４の使用による通信コストを抑えることが可能となる。
【００３１】
認証部２８は、無線通信部２９を通じて携帯端末３からアクセス要求があった場合に、あらかじめ所定の記憶媒体に登録されているアクセス権を有する端末の識別情報およびアクセス権を有するユーザの識別情報に基づき、当該アクセス要求を行った携帯端末がアクセス権を有する端末であるか否かの判断および当該携帯端末のユーザがアクセス権を有するユーザであるか否かの判断を行う。なお、アクセス権を有する端末であるか否かの判断は、携帯端末３が固有にもつ機器ＩＤおよび製造番号などの識別情報を用いて行い、アクセス権を有するユーザであるか否かの判断は、ユーザＩＤおよびパスワードなどの識別情報を用いて行う。また、認証部２８では、識別情報に対応したランク分けを行っており、このランクによって提供出来る情報の範囲を制限している（例えば、ランクが低い携帯端末およびユーザの場合は、一部の情報は閲覧不可であるが、ランクが高い携帯端末およびユーザの場合には、全ての情報が閲覧可であるなど）。
【００３２】
無線通信部２９は、携帯端末３と直接に無線通信を行うものである。この無線通信部２９は、例えば、認証部２８においてアクセス要求を行った携帯端末がアクセス権を有する端末であり且つ当該携帯端末のユーザがアクセス権を有するユーザであると判断された場合に、情報提供部２６により生成されたアクセス要求に対応する提供データを送信するために、当該携帯端末と直接に無線通信を行う。なお、この無線通信部２９は、送信する情報には暗号化処理を施し、一方、受信する情報には複合化処理を施す。
【００３３】
上記計測監視装置２においては、特に、認証部２８が、アクセス要求を行った携帯端末がアクセス権を有する端末であり且つ当該携帯端末のユーザがアクセス権を有するユーザであると判断した場合に、情報提供部２６は、計測監視装置２の内部で生じる情報の少なくとも一部（例えば、情報管理部２４により情報保存部２３上で保存される電気設備データ、第１の異常情報、および第２の異常情報の少なくとも一部）を用いて前記アクセス要求に対応するデータを生成し、無線通信部２９は、生成されたデータを当該携帯端末に直接に無線送信するようになっている。
【００３４】
携帯端末３は、計測監視装置２と接続し、計測監視装置２の内部に生じる情報の少なくとも一部を、当該携帯端末の画面上に表示するものである。
【００３５】
上記携帯端末３は、無線通信部３０、情報管理部３１、表示処理部３２、および表示形式保存部３３を有する。
【００３６】
無線通信部３０は、計測監視装置２と直接に無線通信を行い、計測監視装置２へのアクセス要求を行うものである。なお、直接に無線通信を行う通信方式としては、例えば、Ｂｌｕｅｔｏｏｔｈ（登録商標）に基づく近距離無線通信や赤外線通信などの通信方式が挙げられる。また、この無線通信部３０は、前述の無線通信部２９と同様に、送信する情報には暗号化処理を施し、一方、受信する情報には複合化処理を施す。
【００３７】
情報管理部３１は、アクセス要求の際に、無線通信部３０を通じて送信する当該携帯端末の識別情報および当該携帯端末のユーザの識別情報を管理し、当該識別情報および情報提供部２６により生成された提供データの送受信を、無線通信部３０を通じて行うものである。
【００３８】
表示処理部３２は、無線通信部３０を通じて受信する情報を画面上に表示する処理を行うものである。また表示処理部３２は、表示形式保存部３３より各種表示フォーマットを読み出す処理および読み出した表示フォーマットを設定する処理もまた行う。
【００３９】
表示形式保存部３３は、電気設備データを画面上に表示する際に使用する、各種表示フォーマットを保存するための記憶媒体である。
【００４０】
なお、携帯端末３は専用機器に限らず、作業員が常時使用する携帯電話などで実現しても構わない。この場合、作業員が常時使用する携帯電話の識別情報を計測監視装置２側の認証部２８にあらかじめ登録しておく。これにより、作業員は携帯電話を用いて手軽に計測監視装置２にアクセスし、所望の情報を携帯電話の表示部に表示させることが可能となる。
【００４１】
ここで、計測監視装置２と携帯端末３との間でやり取りできる情報の例を以下に示す。
【００４２】
（１）認証時に携帯端末３から計測監視装置２へ送信できる情報
・携帯端末３の機器ＩＤ
・接続する計測監視装置２の装置ＩＤ
・ユーザＩＤおよびパスワード
・セキュリティレベル（前述のランクに相当。携帯端末３が計測監視装置２から享受できる情報の範囲。）
（２）設定時に携帯端末３から計測監視装置２へ送信できる情報
・時刻
・各監視対象の切替えを示すフラグ、各監視対象の有効／無効を示すフラグ
・警報検出レベル（警報を発生させる電流値や電力量の閾値など）
・点検指令（計測監視装置２自身の動作状態の点検の指令など）
（３）アクセス要求時に計測監視装置２から携帯端末３へ送信できる情報
・監視対象（監視対象となる回路やチャンネルを識別する情報など）
・監視対象の現在値（監視対象の現在の電流値、電力量、時刻など）
・設定値（現在設定されている電流値や電力量の閾値など）
・現在状態（現在の監視対象の状態、計測監視装置２自体の状態や通信状態など）
・トレンドデータ（監視対象の電流値や電力量の推移を示す情報など）
・イベント履歴（警報発生や故障発生の履歴など）
次に、図２乃至図４を参照して、本実施形態の携帯端末３に表示する各種の画面の例について説明する。
【００４３】
図２は、計測監視装置２において生成した電流値に関する電気設備データを携帯端末上で表示する画面の一例を示す図である。この画面には、例えば、「回路」，「監視項目」，「現在値」，「単位」，「現在状態」などを表形式で表した情報が表示される。「回路」は、監視対象となる回路を識別する情報（例えば、１，２，…など）を示す。「監視項目」は、監視対象となる回路のチャンネルを識別する情報（例えば、チャンネル１電流，チャンネル２電流，…など）を示す。「現在値」は、監視対象となるチャンネルの現在の電流値（例えば、３０，４０，…など）を示す。「単位」は、当該電流値の単位（例えば、ｍＡなど）を示す。「現在状態」は、当該電流値の現在の状態（例えば、正常，異常，…など）を示す。そのほか、後述するように、電流値の異常に伴う警報発生などの履歴を示すイベント履歴や、これまでの電流値の推移を示すトレンドデータなどを表示してもよい。
【００４４】
これにより、電気設備１に含まれる複数の監視項目の状態を把握することが出来る。
【００４５】
図３は、計測監視装置２において検出した電流値の異常により生じる警報の履歴を携帯端末上で表示する画面の一例を示す図である。この画面には、例えば、「履歴」，「警報時刻」，「内容」などを表形式で表した情報が表示される。「履歴」は、警報の履歴を識別する情報（例えば、１，２，…など）を示す。「警報時刻」は、警報が発せられた時刻（例えば、2009.7.31  10:10:20など）を示す。「内容」は、警報の内容（例えば、「チャンネル２電流、警報発生」など）を示す。
【００４６】
これにより、電気設備に異常が生じた日時および原因を、イベント発生毎に時系列データとして把握することが出来る。
【００４７】
図４は、計測監視装置２において検出した電流値に関する電気設備データを携帯端末上で表示する画面の一例を示す図である。この画面には、例えば、縦軸を「電流」、横軸を「時間」とした電流波形を示すグラフが表示される。
【００４８】
これにより、例えば電流値などの電気設備の状態を表す電気量の時間経過に伴う推移を視覚的に捉えやすくすることが出来る。
【００４９】
なお、図２乃至図４では、携帯端末３の画面上に電流値に関する情報を表示する例を示したが、電力量についても同様に表示させることが可能である。そのほか、計測監視装置２自体の状態や通信状態、故障発生の履歴などを表示させることも可能である。
【００５０】
次に、図５を参照して、本実施形態の情報保存部２３に保存するデータの具体的な項目の例について説明する。
【００５１】
図５は、情報保存部２３に保存する電気設備データの具体的な項目の一例を示す図である。この情報保存部２３には、例えば、「時間」，「チャンネル１電流」，「チャンネル２電流」，「パルス」，「温度」などを表形式で表した情報が保存される。なお、電気設備データは、履歴・時系列データとして情報保存部２３に保存してもよいため、保存形式は表形式に限られない。
【００５２】
次に、図６乃至図１０を参照して、本実施形態に係る電気設備計測監視システムの動作の具体的な一例を示す。
【００５３】
図６は、計測監視装置２が電気設備１の各部の電流値を計測し、その計測結果を示す電気設備データの生成を行い、当該電気設備データを保存するまでの動作の一例を示すフローチャートである。
【００５４】
先ず、計測部２０が、電気設備の状態を表す電流のアナログ量を一定の周期で計測する（ステップＳ１０１）。
【００５５】
続いて、計測部２０は、ステップＳ１０１で計測した電流のアナログ量をディジタル量に変換する（ステップＳ１０２）。
【００５６】
続いて、計測情報解析部２１が、ステップＳ１０２で生成したディジタル量としての電流値の解析をした後に、当該電気設備データの過電流判定を行う（ステップＳ１０３）。
【００５７】
続いて、計測情報解析部２１は、ステップＳ１０３での過電流判定の結果に、異常があるか否かの判断をする（ステップＳ１０４）。
【００５８】
続いて、ステップＳ１０４での判断結果に「異常がある」場合には（ステップＳ１０４でＹＥＳ）、計測情報解析部２１は、当該異常の内容を示す異常情報を情報提供部２６に通知する。当該異常の情報を取得した情報提供部２６は、異常をデータ管理装置５に通知するための提供データの生成を行い、通信部２７を通じてデータ管理装置５に当該提供データを送信し、警報を通知する（ステップＳ１０５）。一方で、ステップＳ１０４での判断結果に「異常がない」場合には（ステップＳ１０４でＮＯ）、後述するステップＳ１０６へと進む。
【００５９】
最後に、情報管理部２４は、ステップＳ１０２で生成した電流値およびステップＳ１０４で検出した異常の内容を示す異常情報を情報保存部２３に保存する（ステップＳ１０６）。
【００６０】
このようなステップＳ１０１乃至Ｓ１０６の一連の処理は、一定の時間間隔で繰り返される。
【００６１】
図７は、計測監視装置２が電気設備１の各部の電力量を計測し、その計測結果を示す電気設備データの生成を行い、当該電気設備データを保存するまでの動作の一例を示すフローチャートである。
【００６２】
先ず、計測部２０が、電気設備の状態を表す電力量のパルス数を計測し、ディジタル量としての電力量の生成を行う（ステップＳ２０１）。
【００６３】
続いて、計測情報解析部２１が、ステップＳ２０１で生成した電気設備データの超過判定を行うタイミングであるかの判断をする（ステップＳ２０２）。例えば、電力量のパルス数は１秒毎に計測するのに対して、超過判定は１０秒毎に行う。
【００６４】
続いて、ステップＳ２０２での判断結果が「超過判定を行うタイミングである」場合には（ステップＳ２０２でＹＥＳ）、計測情報解析部２１は、ステップＳ２０１で生成した電力量の超過判定を行う（ステップＳ２０３）。一方で、ステップＳ２０２での判断結果が「超過判定を行うタイミングでない」場合には（ステップＳ２０２でＮＯ）、計測部２０は、前述のステップＳ２０１へと戻る。
【００６５】
続いて、計測情報解析部２１は、ステップＳ２０３での判定結果に、異常があるか否かの判断をする（ステップＳ２０４）。
【００６６】
続いて、ステップＳ２０４での判定結果に「異常がある」場合には（ステップＳ２０４でＹＥＳ）、計測情報解析部２１は、当該異常の内容を示す異常情報を情報提供部２６に通知する。当該異常情報を取得した情報提供部２６は、異常をデータ管理装置５に通知するための提供データの生成を行い、通信部２７を通じてデータ管理装置５に当該提供データを送信し、警報を通知する（ステップＳ２０５）。一方で、ステップＳ２０４での判定結果に「異常がない」場合には（ステップＳ２０４でＮＯ）、後述するステップＳ２０６へと進む。
【００６７】
最後に、情報管理部２４は、ステップＳ２０１で生成した電力量およびステップＳ２０４で検出した異常の内容を示す異常情報を情報保存部２３に保存する（ステップＳ２０６）。
【００６８】
このようなステップＳ２０１乃至Ｓ２０６の一連の処理は、一定の時間間隔で繰り返される。
【００６９】
図８は、計測監視装置２が保存した情報をデータ管理装置５に送信するまでの動作の一例を示すフローチャートである。
【００７０】
先ず、情報管理部２４は、情報保存部２３より保存した情報を読み出す（ステップＳ３０１）。
【００７１】
続いて、情報提供部２６は、ステップＳ３０１で読み出した情報について、データ管理装置５に送信するための提供データをレポートとして生成する（ステップＳ３０２）。
【００７２】
最後に、情報提供部２６は、ステップＳ３０２で生成された提供データを、通信部２７を通じてデータ管理装置５に送信する（ステップＳ３０３）。
【００７３】
このようなステップＳ３０１乃至Ｓ３０３の一連の処理は、一定の時間間隔（例えば、１日毎あるいは１ヶ月毎など）で繰り返される。
【００７４】
図９は、計測監視装置２が計測監視装置２の内部で生じる情報を携帯端末３に送信するまでの動作の一例を示すフローチャートである。
【００７５】
先ず、無線通信部２９は、携帯端末３からの接続待ち状態を維持する（ステップＳ４０１）。
【００７６】
続いて、接続待ち状態である無線通信部２９は、携帯端末３からのアクセス要求があるか否かのチェックをする（ステップＳ４０２）。
【００７７】
続いて、ステップＳ４０２でのチェック結果が「アクセス要求がある」場合には（ステップＳ４０２でＹＥＳ）、無線通信部２９は、接続機器の指定の確認および端末ＩＤ設定の確認を行う（ステップＳ４０３）。一方で、ステップＳ４０２でのチェック結果が「アクセス要求がない」場合には（ステップＳ４０２でＮＯ）、携帯端末３は、ステップＳ４０１の状態を維持する。
【００７８】
ステップＳ４０３に続いて、認証部２８は、ステップＳ４０３での確認の結果、アクセス権を有する携帯端末およびアクセス権を有するユーザであるか否かの判断を行う（ステップＳ４０４）。
【００７９】
続いて、ステップＳ４０４での判断結果が「アクセス権を有する」携帯端末およびユーザである場合には（ステップＳ４０４でＹＥＳ）、認証部２８は、当該携帯端末が計測監視装置２にアクセスすることを許可する（ステップＳ４０５）。
【００８０】
一方で、ステップＳ４０４での判断結果が「アクセス権を有さない」携帯端末およびユーザである場合には（ステップＳ４０４でＮＯ）、無線通信部２９は、当該携帯端末と計測監視装置２との通信を切断する（ステップＳ４０６）。
【００８１】
ステップＳ４０５に続いて、情報提供部２６は、無線通信部２９を通じて、アクセス権を有する携帯端末からの情報提供要求を取得する（ステップＳ４０７）。
【００８２】
続いて、情報管理部２４は、情報保存部２３より当該携帯端末の要求に合う情報を読み出す（ステップＳ４０８）。
【００８３】
最後に、ステップＳ４０８で読み出した情報を、情報提供部２６は提供データとして生成した後に、無線通信部２９を通じて、当該提供データを携帯端末３に送信する（ステップＳ４０９）。
【００８４】
図１０は、携帯端末３が計測監視装置２に要求した情報を受信して表示するまでの動作の一例を示すフローチャートである。
【００８５】
先ず、携帯端末３は、ユーザにユーザＩＤおよびパスワードの入力を要求する（ステップＳ５０１）。
【００８６】
続いて、携帯端末３は、ユーザがアクセス権を有するユーザであるか否かの判断をする（ステップＳ５０２）。
【００８７】
続いて、ステップＳ５０２での判断結果が「アクセス権を有する」場合には（ステップＳ５０２でＹＥＳ）、携帯端末３は、ユーザの要求に合った接続機器の指定および当該携帯端末のＩＤの設定を行う（ステップＳ５０３）。一方で、ステップＳ５０２での判断の結果が「アクセス権を有さない」場合には（ステップＳ５０２でＮＯ）、携帯端末３は、前述のステップＳ５０１へと戻る。
【００８８】
ステップＳ５０３に続いて、無線通信部３０は、無線通信部２９にアクセス要求を行う（ステップＳ５０４）。
【００８９】
続いて、無線通信部３０は、アクセスすることが許可されたのかをチェックする（ステップＳ５０５）。
【００９０】
続いて、ステップＳ５０５でのチェック結果が「アクセス許可」である場合には（ステップＳ５０５でＹＥＳ）、携帯端末３は、計測監視装置２に要求する情報の表示項目の選択を所定のユーザに促す（ステップＳ５０６）。一方で、ステップＳ５０５でのチェック結果が「アクセス不可」である場合には（ステップＳ５０５でＮＯ）、携帯端末３は、前述のステップＳ５０１へと戻る。
【００９１】
ステップＳ５０６に続いて、携帯端末３は、所定のユーザに選択した表示項目の情報を取得するか否かの確認を行う（ステップＳ５０７）。
【００９２】
続いて、ステップＳ５０７での確認の結果が「情報を取得する」である場合には（ステップＳ５０７でＹＥＳ）、携帯端末３は、無線通信部３０を通じて、計測監視装置２に情報取得要求を行う（ステップＳ５０８）。
【００９３】
一方で、ステップＳ５０７での確認の結果が「情報を取得しない」である場合には（ステップＳ５０７でＮＯ）、携帯端末３は、計測監視装置２との通信を切断する（ステップＳ５０９）。
【００９４】
ステップＳ５０８に続いて、情報管理部３１は、無線通信部３０を通じて、要求した情報を受信する（ステップＳ５１０）。
【００９５】
続いて、表示処理部３２は、受信した情報に合う表示フォーマットを表示形式保存部３３より読み出す（ステップＳ５１１）。
【００９６】
続いて、表示処理部３２は、ステップＳ５１１で読み出した表示フォーマットとステップＳ５１０で受信した情報とを用いて、表示画面の生成を行う（ステップＳ５１２）。
【００９７】
最後に、表示処理部３２は、端末上にステップＳ５１２で生成した表示画面を携帯端末上に表示する（ステップＳ５１３）。
【００９８】
なお、このようなステップＳ５０６乃至Ｓ５１３の一連の処理は、任意の時間間隔で繰り返される。
【００９９】
この第１の実施形態によれば、計測監視装置２と携帯端末３とで直接に無線通信を行うため、公衆回線網を利用せずにデータの送受信を行うことが出来ることから、低コスト化を実現することが可能となる。また、計測監視装置２にアクセスする携帯端末を識別情報により制限することで、不特定多数の携帯端末からのアクセスを防ぐことができ、セキュリティを確保することが可能となる。
【０１００】
（第２の実施形態）
次に、図１１乃至図１３を参照して、本発明の第２の実施形態について説明する。
【０１０１】
なお、この第２の実施形態においては、図１に示した第１の実施形態の構成と共通する部分には同一の符号を付し、重複する説明を省略する。以下では、第１の実施形態と異なる部分を中心に説明する。
【０１０２】
図１１は、本発明の第２の実施形態に係る電気設備計測監視システムの構成の一例を示す図である。
【０１０３】
本発明の第２の実施形態に係る電気設備計測監視システムは、計測監視装置２，携帯端末３，およびデータ管理装置５より構成される。
【０１０４】
上記データ管理装置５は、通信部５０、情報保存部５１、表示形式管理部５２、および表示形式保存部５３を有する。
【０１０５】
通信部５０は、通信ネットワーク４を介して計測監視装置２および携帯端末３と接続するものである。
【０１０６】
情報保存部５１は、計測監視装置２の内部で生じる情報を保存するための記憶媒体である。なお、計測監視装置２の内部で生じる情報は、一定の間隔（例えば、１日毎または１ヶ月毎など）で、情報保存部５１に保存される。
【０１０７】
表示形式管理部５２は、携帯端末３から要求される表示フォーマットを表示形式保存部５３から読み出し、無線通信部３０を通じて携帯端末３へ送信するものである。また、外部より通信部５０を通じて新しい表示フォーマットを受信し、表示形式保存部５３に保存する処理も行う。
【０１０８】
表示形式保存部５３は、電気設備データを表示する際の各種の表示フォーマットを保存する記憶媒体である。なお、各種表示フォーマットの具体的な例としては、前述の図２乃至図４に示されるような情報の表示に合った表示フォーマットが挙げられる。
【０１０９】
また本実施形態において、上記携帯端末３は、第１の実施形態の機能に加えて、更に通信部３４および表示形式管理部３５を有する。
【０１１０】
通信部３４は、データ管理装置５と通信ネットワークを介して接続し、データ管理装置５に対して任意の表示フォーマットを要求して取得するものである。
【０１１１】
表示形式管理部３５は、通信部３４を通じて取得される表示フォーマットを表示形式保存部３３に保存する処理を行い、表示処理部３２が電気設備データを表示する際の表示フォーマットを変更するものである。なお、表示形式管理部３５、表示フォーマットに関連した各種要求および各種表示フォーマットの送受信、取得される表示フォーマットの整合確認もまた行う。上記整合確認では、例えば、サム値およびデータＩＤなどを用いて、取得される表示フォーマットの整合性の確認を行う。
【０１１２】
次に、図１２および図１３を参照して、本実施形態に係る電気設備計測監視システムの動作の具体的な一例を示す。
【０１１３】
図１２は、本実施形態に係る電気設備計測監視システムの具体的な動作の一例を示す図であり、データ管理装置５が携帯端末３に表示フォーマットを送信するまでの動作の一例を示すフローチャートである。
【０１１４】
先ず、表示形式管理部５２は、通信部５０を通じて携帯端末３からの表示フォーマットリスト取得要求を受信する（ステップＳ６０１）。
【０１１５】
続いて、表示形式管理部５２は、通信部５０を通じて携帯端末３へ表示フォーマットのリストを送信する（ステップＳ６０２）。
【０１１６】
続いて、表示形式管理部５２は、通信部５０を通じて携帯端末３より任意の表示フォーマット取得要求を受信する（ステップＳ６０３）。
【０１１７】
続いて、表示形式管理部５２は、表示形式保存部５３より要求にあう表示フォーマットの読み出しを行う（ステップＳ６０４）。
【０１１８】
最後に、表示形式管理部５２は、通信部５０を通じて、携帯端末３へ任意の表示フォーマットを送信する（ステップＳ６０５）。
【０１１９】
図１３は、携帯端末３がデータ管理装置５に要求した表示フォーマットを受信して設定するまでの動作の一例を示すフローチャートである。
【０１２０】
先ず、携帯端末３は、所定のユーザにユーザＩＤの入力およびパスワードの入力を要求する（ステップＳ７０１）。
【０１２１】
続いて、携帯端末３は、所定のユーザがアクセス権を有するか否かの判断をする（ステップＳ７０２）。
【０１２２】
続いて、ステップＳ７０２での判断結果が「アクセス権を有する」場合には（ステップＳ７０２でＹＥＳ）、表示形式管理部３５は、通信部３４を通じてデータ管理装置５に、表示フォーマットのリスト取得要求を送信する（ステップＳ７０３）。一方で、ステップＳ７０２での判断結果が「アクセス権を有さない」場合には（ステップＳ７０２でＮＯ）、携帯端末３は、前述のステップＳ７０１へと戻る。
【０１２３】
ステップＳ７０３に続いて、表示形式管理部３５は通信部３４を通じて、表示フォーマットのリストをデータ管理装置５より受信する（ステップＳ７０４）。
【０１２４】
続いて、表示形式管理部３５は、所定のユーザに表示フォーマットのリストの中から、任意の表示フォーマットを選択するよう促す（ステップＳ７０５）。
【０１２５】
続いて、表示形式管理部３５は、通信部３４を通じて、選択した表示フォーマットの取得要求をデータ管理装置５に送信する（ステップＳ７０６）。
【０１２６】
続いて、表示形式管理部３５は、ステップＳ７０５において選択した表示フォーマットを、通信部３４を通じてデータ管理装置５より受信する（ステップＳ７０７）。
【０１２７】
続いて、表示形式管理部３５は、ステップＳ７０７において受信した表示フォーマットの整合確認を行う（ステップＳ７０８）。
【０１２８】
続いて、表示形式管理部３５は、ステップＳ７０８における整合確認において、異常がないか否かの判断をする（ステップＳ７０９）。
【０１２９】
続いて、ステップＳ７０９における整合確認に「異常がない」場合には（ステップＳ７０９でＹＥＳ）、表示形式管理部３５は、当該表示フォーマットを、表示形式保存部３３に保存する（ステップＳ７１０）。一方で、ステップＳ７０９における整合確認に「異常がある」場合には（ステップＳ７０９でＮＯ）、携帯端末３は、前述のステップＳ７０１へと戻る。
【０１３０】
最後に、表示処理部３２は、当該表示フォーマットの設定を行う（ステップＳ７１１）。
【０１３１】
なお携帯端末３に、例えば、携帯電話などの既製品を使用する場合は、当該携帯電話の表示機能などのアプリケーションをサーバからダウンロードして、表示フォーマットを取得するようにしても構わない。
【０１３２】
この第２の実施形態によれば、データの種類に応じて任意の表示フォーマットの追加および変更をすることが可能となる。
【０１３３】
上述した各実施形態で述べた各種の機能や処理手順は、コンピュータプログラムとして、コンピュータにより読み取り可能な記憶媒体（例えば磁気ディスク，光ディスク，半導体メモリ）に記憶させておき、必要に応じてそれをプロセッサにより読み出して実行するようにしてもよい。また、このようなコンピュータプログラムは、通信媒体を介してあるコンピュータから他のコンピュータに伝送することにより配布することも可能である。
【０１３４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１３５】
１…電気設備、２…計測監視装置、３…携帯端末、４…通信ネットワーク、５…データ管理装置、２０…計測部、２１…計測情報解析部、２２…装置状態監視部、２３…情報保存部、２４…情報管理部、２５…表示処理部、２６…情報提供部、２７…通信部、２８…認証部、２９…無線通信部、３０…無線通信部、３１…情報管理部、３２…表示処理部、３３…表示形式保存部、３４…通信部、３５…表示形式管理部、５０…通信部、５１…情報保存部、５２…表示形式管理部、５３…表示形式保存部。
【図１】
2011072121.tif 000003
【図２】
2011072121.tif 000004
【図３】
2011072121.tif 000005
【図４】
2011072121.tif 000006
【図５】
2011072121.tif 000007
【図６】
2011072121.tif 000008
【図７】
2011072121.tif 000009
【図８】
2011072121.tif 000010
【図９】
2011072121.tif 000011
【図１０】
2011072121.tif 000012
【図１１】
2011072121.tif 000013
【図１２】
2011072121.tif 000014
【図１３】
2011072121.tif 000015